(57)【要約】【課題】保守員の技術に頼ることなく正確なデータを得ることのできる機器設備の保全診断システムの提供。【解決手段】測定データが入力される携帯端末１、及び測定データの診断結果に基づく保全指示を携帯端末１に配信するセンタ装置２を有してなる設備機器の保全診断システムにおいて、複数の層が識別可能な表示部を有し、保全部位に係る測定データが複数層の内のいずれに属するかを判別するジャッジゲージを設けるとともに、携帯端末１は、保全部位に係る判別した層の情報を入力可能とし、かつセンタ装置２は、層の情報を保全部位の測定寸法に変換し、保全部位の経年的な寸法変化による劣化寿命に対してそれぞれの保全部位の診断及びその結果に基づく保全指示を行うよう構成した。【選択図】図１
2006266816.tif 000002
【特許請求の範囲】
【請求項１】
機器設備の保全部位で測定された測定データが入力される携帯端末と、この携帯端末と通信回線を介して接続され前記携帯端末に入力された測定データを受信し、その診断結果に基づく保全指示を前記携帯端末に通信回線を介して配信するセンタ装置とを有してなる機器設備の保全診断システムにおいて、
複数の層が識別可能な表示部を有し、前記保全部位に係る前記測定データが前記複数層の内のいずれに属するかを判別するジャッジゲージを設けるとともに、前記携帯端末は、前記保全部位に係る判別した層の情報を入力可能とし、かつ前記センタ装置は、前記層の情報を前記保全部位の測定寸法に変換し、前記保全部位の経年的な寸法変化による劣化寿命に対してそれぞれの前記保全部位の前記診断及びその結果に基づく保全指示を行うよう構成したことを特徴とする機器設備の保全診断システム。
【請求項２】
前記ジャッジゲージは、前記複数層を識別可能なように各層を異なる色で表示するよう構成したことを特徴とする請求項１記載の機器設備の保全診断システム。
【請求項３】
前記携帯端末は、前記保全部位での作業時に参照する保全点検作業指示画面、及び前記ジャッジゲージにより判別した層情報を示す符号を入力するための測定データ入力画面を表示するよう構成したことを特徴とする請求項１、２記載の機器設備の保全診断システム。
【発明の詳細な説明】
【技術分野】
【０００１】
本発明は、機器設備の保全診断システムに係り、特に、最適保全計画や寿命予測を支援する機器設備の保全診断システムに関する。
【背景技術】
【０００２】
データを入力する入力装置と、オペレータに対する指示及び処理結果を表示する出力装置と、これらの装置が接続され、入力データに基づいて機器／設備の診断を行うコンピュータとを備える機器設備の診断システムにあって、従来技術では、コンピュータは診断対象である機器設備について診断するため、入力データに基づいて劣化要因を推論する手段を備えたシステムであり、また、機器設備の診断の際に、診断に必要なデータの収集のための点検すべき事項及び手法を出力装置を介して指示する機能を有した測定支援手段を備えたことを特徴とする機器設備の診断システムが提案されている（例えば、特許文献１参照）。
【０００３】
【特許文献１】特開平０９−２１１０５０号公報（段落番号〜、第１２図）
【発明の開示】
【発明が解決しようとする課題】
【０００４】
しかしながら、前述した従来技術では、機器／設備の診断の際に、診断に必要なデータの収集のための点検すべき事項及び手法を出力装置を介して点検・保守する保守員に指示することにより作業を相対的に簡易なものとしているが、データ収集の際の機器設備の保全部位での測定は保守員の技術に頼ることから、保守員に一定以上の技術を持たせる必要があり、保守員の技術格差による機器設備の品質のばらつき発生は避けられないという問題があった。また保守員が一定以上の技術を持つことや測定作業により機器設備に係るデータを把握することで技術が漏洩するといった情報管理の観点からも弊害が生じる恐れがあった。
【０００５】
本発明は、前述した従来技術における実状からなされたもので、その目的は、保守員の技術に頼ることなく正確なデータを得ることのできる機器設備の保全診断システムを提供することにある。
【課題を解決するための手段】
【０００６】
前記目的を達成するために、本発明は、機器設備の保全部位で測定された測定データが入力される携帯端末と、この携帯端末と通信回線を介して接続され前記携帯端末に入力された測定データを受信し、その診断結果に基づく保全指示を前記携帯端末に通信回線を介して配信するセンタ装置とを有してなる機器設備の保全診断システムにおいて、複数の層が識別可能な表示部を有し、前記保全部位に係る前記測定データが前記複数層の内のいずれに属するかを判別するジャッジゲージを設けるとともに、前記携帯端末は、前記保全部位に係る判別した層の情報を入力可能とし、かつ前記センタ装置は、前記層の情報を前記保全部位の測定寸法に変換し、前記保全部位の経年的な寸法変化による劣化寿命に対してそれぞれの前記保全部位の前記診断及びその結果に基づく保全指示を行うよう構成したことを特徴としている。
【０００７】
このように構成した本発明は、保守員は機器設備の保全診断に際し、ジャッジゲージにより保全部位に係る測定データが複数層の内のいずれに属するかを判別するとともに、携帯端末に保全部位に係る判別した層の情報を入力する。一方、センタ装置は、層の情報を保全部位の測定寸法に変換し、保全部位の経年的な寸法変化による劣化寿命に対して保全部位の診断及びその結果に基づく保全指示を行う。このように保守員はジャッジゲージにより保全部位に係る測定データを判別することから、保守員の技術に頼ることなく正確なデータを得ることができる。
【発明の効果】
【０００８】
本発明によれば、保守員はジャッジゲージにより保全部位に係る測定データを判別することから、保守員の技術に頼ることなく正確なデータを得ることができ、したがって保守員の技術格差による機器設備の品質のばらつきを防ぐことができる。また、保守員はジャッジゲージによる測定データの判別及び測定した層情報に対応した符号の入力を行なうのみであることから、保守員が一定以上の技術を持つことや測定作業により機器設備に係るデータを把握することによって技術が漏洩するといった事態を防ぐことができる。
【発明を実施するための最良の形態】
【０００９】
以下、本発明に係る機器設備の保全診断システムの実施の形態を図に基づいて説明する。
【００１０】
図１は本発明の機器設備の保全診断システムの一実施形態の要部構成を示す構成図、図２は本発明の一実施形態によるジャッジゲージを示す側面図、図３は本発明の一実施形態による携帯端末に表示された保全・点検作業指示画面及び測定値入力画面の一例を示す説明図、図４は本発明の一実施形態による処理手順の流れを示す説明図である。
【００１１】
図１に示す本実施形態の機器設備の保全診断システムは、現地において用いる可搬型の携帯端末１と、この携帯端末と通信回線２１ａを介して接続され、管理部門等に設置されるセンタ装置２とを主構成要素として有する。また、本実施形態ではセンタ装置２と通信回線２１ｂ、携帯端末１と通信回線２１ｃを介してそれぞれ接続され、サイトオフィス等に設置されるサイトオフィス端末１２を設置した例を示している。
【００１２】
携帯端末１は小型軽量で容易に持ち歩けるコンピュータ装置であって、例えばラップトップ型のコンピュータや、ＰＡＵや、携帯電話等を用いることができる。この携帯端末１は、内部機能の一部として、保全点検作業指示画面３、測定データ入力画面４、各機器・部品ごとの経年変化データ５、メンテナンスレポート作成機能６及びインターフェース７を有している。インターフェース７はセンタ装置２との間で通信回線２１ａを介して必要に応じて接続されデータ通信を行うことができる。また、携帯端末１のメンテナンスレポート作成機能６によって出力装置（図示しない）を介して保全契約を頂いているお客様に対しメンテナンスレポート１７や報告書などを出力することができる。なお、各機能の詳細については後述する。
【００１３】
センタ端末２は高速、大容量のデータ処理が可能なコンピュータであって、内部機能の一部として、インターフェース８及び保全情報管理システム９を有する。この保全情報管理システム９には、保全作業データベース１０及び経年変化データ作成機能１１があり、保全作業データベース１０は、各々の機器設備を点検した測定値データベース１０ａと、履歴に基づき機器設備の寿命等を判定する経年変化データベース１０ｂと、各々の機器設備を点検した測定値と経年変化データベース１０ｂに基づき、その機器の寿命等を算出する寿命予測システム１０ｃと、その機器の最適保全計画を構築する最適保全計画システム１０ｄとで構成されている。
【００１４】
サイトオフィス端末１２はセンタ装置２と携帯端末１との通信を経由する中規模のコンピュータで、通信回線２１ｂを介しセンタ装置２から情報を受信するとともに、通信回線２１ｃを介して携帯端末１に情報を配信する。サイトオフィス端末１２にはセンタ装置２から保全・点検作業指示１４及び経年変化データ１５が配信され、内部機能の一部であるメンテナンスレポート作成機能１６により、前述した出力装置（図示しない）を介して保全契約を頂いているお客様に対しメンテナンスレポート１７や報告書等を出力することも可能である。さらには、通信回線２１ｃを介して携帯端末１を所有する現地作業員に、保全・点検作業指示３及び経年変化データ５が自動的に配信される構成となっている。
【００１５】
また、図２に示すように、保守員により現地での作業時に用いられ、複数の層１８ａ〜１８ｆが識別可能な表示部１８Ａを有し、保全部位に係る測定データが複数層１８ａ〜１８ｆの内のいずれに属するかを判別するジャッジゲージ１８が設けられている。本実施形態のジャッジゲージ１８は、複数層１８ａ〜１８ｆが識別可能に各層を異なる色で表示するものとしている。
【００１６】
次に、図３、図４を用いてディスクブレーキのライニングの摩耗量測定を一例に挙げ、保全・点検作業指示に基づく点検方法、及び保全診断システムの一連の流れを説明する。
【００１７】
まず、保守員は携帯端末１によりセンタ装置２から配信される保全・点検作業指示３ａを受信する。携帯端末１は図３に示すように保全・点検作業指示画面３ａを表示し、図示の如くジャッジゲージ１８をライニングの位置に当て、矢印の色を記載するよう指示する。保守員はこの指示に基づき図４の手順Ｓ１に示すようにジャッジゲージ１８を用いて色のみの判定を行うとともに、図３に示す測定データ入力画面４ａに手順Ｓ２として入力装置（図示しないが、例として携帯端末１のキーボード、タッチパネルなどが考えられる）を操作してジャッジゲージ１８で判定した層情報に対応した符号１９を入力する。ここで、ジャッジゲージ１８は図２に示すように複数層１８ａ〜１８ｆを有し、ディスクブレーキのライニングの摩耗量における測定レベルを判別可能としている。但し、保守員には層情報である色でしか判別できないため、ライニングがどの程度摩耗したかを把握したり、前回の測定との比較により経年変化量を計測したりすることができないようになっている。
【００１８】
保守員により入力された入力データは通信回線２１ａを介しセンタ装置２に配信され、センタ装置２は、図４の手順Ｓ３に示すように内部機能の中の変換機能２０を用い入力された層情報の符号１９を数値情報２０ａに変換する。次いで、経年変化データ作成機能１１は手順Ｓ４として数値情報２０ａを過去の点検情報と今回の点検情報とともに解析し、時系列的にグラフ化された経年変化データを作成するとともに、手順Ｓ５として経年変化データ１５を基に最適保全計画１０ｄ、寿命予測１０ｃを算出する。この最適保全計画１０ｄ、寿命予測１０ｃに基づき手順Ｓ６に示すように携帯端末１（サイトオフィス端末１２も可能）に保全・点検作業指示３及び経年変化データ５が自動配信される仕組みである。
【００１９】
このように構成した本実施形態によれば、保守員はジャッジゲージ１８により保全部位に係る測定データを判別することから、保守員の技術に頼ることなく正確なデータを得ることができる。また、保守員はジャッジゲージ１８による測定データの判別及び測定した層情報に対応した符号の入力を行なうのみであることから、保守員が一定以上の技術を持つことや測定作業により機器／設備に係るデータを把握することによって技術が漏洩するといった事態を防ぐことができる。
【図面の簡単な説明】
【００２０】
【図１】本発明の機器設備の保全診断システムの一実施形態の要部構成を示す構成図である。
【図２】本発明の一実施形態によるジャッジゲージを示す側面図である。
【図３】本発明の一実施形態による携帯端末に表示された保全・点検作業指示画面及び測定値入力画面の一例を示す説明図である。
【図４】本発明の一実施形態による処理手順の流れを示す説明図である。
【符号の説明】
【００２１】
１  携帯端末
２  センタ装置
３ａ  保全／点検作業指示画面
４ａ  測定データ入力画面
９  保全情報管理システム
１０  保全作業データベース
１１  経年変化データ作成機能
１２  サイトオフィス端末
１８  ジャッジゲージ
１８Ａ  表示部
１８ａ〜１８ｆ  複数層
【図１】
2006266816.tif 000003
【図２】
2006266816.tif 000004
【図３】
2006266816.tif 000005
【図４】
2006266816.tif 000006